(57)【特許請求の範囲】
【請求項１】
風を発生することにより室内の空気を循環させる空気循環装置を制御するコントローラであって、
プログラムを格納したメモリと、
前記プログラムを実行するプロセッサと、
前記空気循環装置および外部機器と通信を行なう通信インターフェイスとを備え、
前記通信インターフェイスは、
前記室内に入射する太陽光の光量を開閉動作により調節する調節装置が閉状態から開状態になったことを示す信号を前記外部機器から受信し、
前記室内の温度を検出する温度センサから、当該検出された温度を示す温度情報をさらに受信し、
前記プロセッサは、
前記通信インターフェイスが前記信号を受信してから、前記温度が予め定められた値上昇したか否かを前記温度情報に基づき判断し、
前記温度が前記予め定められた値上昇したことに基づき、前記通信インターフェイスを用いて、前記空気循環装置の風量を増加させる制御を行なう、コントローラ。
【請求項２】
風を発生することにより室内の空気を循環させる空気循環装置を制御するコントローラであって、
プログラムを格納したメモリと、
前記プログラムを実行するプロセッサと、
前記空気循環装置および外部機器と通信を行なう通信インターフェイスと、
時間を計測するタイマとを備え、
前記通信インターフェイスは、前記室内に入射する太陽光の光量を開閉動作により調節する調節装置が閉状態から開状態になったことを示す信号を前記外部機器から受信し、
前記プロセッサは、
前記通信インターフェイスが前記信号を受信してから、予め定められた時間が経過したか否かを前記計測された時間に基づき判断し、
前記予め定められた時間が経過したことに基づき、前記通信インターフェイスを用いて、前記空気循環装置の風量を増加させる制御を行なう、コントローラ。
【請求項３】
風を発生することにより室内の空気を循環させる空気循環装置を制御するコントローラであって、
プログラムを格納したメモリと、
前記プログラムを実行するプロセッサと、
前記空気循環装置、第１の外部機器、および第２の外部機器と通信を行なう通信インターフェイスとを備え、
前記通信インターフェイスは、
前記室内に入射する太陽光の光量を開閉動作により調節する調節装置が閉状態から開状態になったことを示す第１の信号を前記第１の外部機器から受信し、
前記室内と室外とを仕切る窓が開状態であることを示す第２の信号を前記第２の外部機器から受信し、
前記プロセッサは、
前記通信インターフェイスが前記第１の信号を受信したことに基づき、前記通信インターフェイスを用いて、前記空気循環装置の風量を増加させる制御を行ない、
前記風量を増加させる制御を行なった後に前記通信インターフェイスが前記第２の信号を受信したことに基づき、前記風量を減少させる制御を行なう、コントローラ。
【請求項４】
風を発生することにより室内の空気を循環させる空気循環装置を制御するコントローラにおける制御方法であって、
前記室内に入射する太陽光の光量を開閉動作により調節する調節装置が閉状態から開状態になったことを示す信号を外部機器から受信するステップと、
前記室内の温度を検出する温度センサから、当該検出された温度を示す温度情報を受信するステップと、
前記信号を受信してから、前記温度が予め定められた値上昇したか否かを前記温度情報に基づき判断するステップと、
前記温度が前記予め定められた値上昇したことに基づき、前記空気循環装置の風量を増加させる制御を行なうステップとを備える、制御方法。
【請求項５】
風を発生することにより室内の空気を循環させる空気循環装置を制御するコントローラにおける制御方法であって、
時間を計測するステップと、
前記室内に入射する太陽光の光量を開閉動作により調節する調節装置が閉状態から開状態になったことを示す信号を外部機器から受信するステップと、
前記信号を受信してから予め定められた時間が経過したか否かを前記計測された時間に基づき判断するステップと、
前記予め定められた時間が経過したことに基づき、前記空気循環装置の風量を増加させる制御を行なうステップとを備える、制御方法。
【請求項６】
風を発生することにより室内の空気を循環させる空気循環装置を制御するコントローラにおける制御方法であって、
前記室内に入射する太陽光の光量を開閉動作により調節する調節装置が閉状態から開状態になったことを示す第１の信号を第１の外部機器から受信するステップと、
前記室内と室外とを仕切る窓が開状態であることを示す第２の信号を第２の外部機器から受信するステップと、
前記第１の信号を受信したことに基づき、前記空気循環装置の風量を増加させる制御を行なうステップと、
前記風量を増加させる制御を行なった後に前記第２の信号を受信したことに基づき、前記風量を減少させる制御を行なうステップとを備える、制御方法。
【請求項７】
風を発生することにより室内の空気を循環させる空気循環装置を制御するコントローラを制御するためのプログラムであって、
時間を計測するステップと、
前記室内に入射する太陽光の光量を開閉動作により調節する調節装置が閉状態から開状態になったことを示す信号を外部機器から受信するステップと、
前記信号を受信してから予め定められた時間が経過したか否かを前記計測された時間に基づき判断するステップと、
前記予め定められた時間が経過したことに基づき、前記空気循環装置の風量を増加させる制御を行なうステップとを実行させる、プログラム。
【発明の詳細な説明】
【技術分野】
【０００１】
本発明は、コントローラ、当該コントローラにおける制御方法、および当該コントローラで実行されるプログラムに関する。特に、本発明は、空気循環装置を制御するコントローラ、当該コントローラにおける制御方法、および当該コントローラで実行されるプログラムに関する。
【背景技術】
【０００２】
建物の窓に設置されるブラインド等の開閉式の覆いは、広く一般に用いられている。当該開閉式の覆いは、外光の部屋への入射量を調整するためのものであるが、昼間においては、太陽光の入射量を調整できる。それゆえ、開閉式の覆いによって、室内の明るさだけでなく、室内温度の調節も可能となる。すなわち、開閉式の覆いによって、入射量を増やすことによる室内温度の上昇や、入射量を抑えることによる室内温度上昇の抑制等が可能となる。
【０００３】
また、近年、開閉式の覆いによる入射量による温度調節を、人の手によらず自動で行なうとともに、開閉式の覆いの動作と室内の温度を調整する空調機器とを連動させるための技術も実用化されている。
【０００４】
たとえば、特許文献１には、空調設備および照明設備と連動させるための制御装置が開示されている。当該制御装置は、季節および天候などの条件に応じて最も消費エネルギーが少ないようなブラインド状態を記憶しておくことにより、同条件時に記憶しておいたブラインド状態になるようにブラインドを制御する。
【０００５】
また、特許文献２には、開閉式の覆いの一種であるシャッタカーテンの開閉制御を実施する電動シャッタ制御装置が開示されている。当該電動シャッタ制御装置は、屋内温度が設定温度よりも高い場合に太陽光の入射量を減らすシャッタカーテンの制御、および季節によってスラット（羽の部分）の傾斜角度を変更する制御などを行なう。電動シャッタ制御装置は、これらの制御によって、太陽光の入射量を調節でき、その結果、室内温度を調整可能となる。これにより、電動シャッタ制御装置は、連動する空調等機器の消費エネルギー抑制を実現している。
【先行技術文献】
【特許文献】
【０００６】
【特許文献１】特開平７−１２７８９７号公報
【特許文献２】特開２００７−２７７８３３号公報
【発明の概要】
【発明が解決しようとする課題】
【０００７】
ところで、開閉式の覆いをあけると、窓の付近の室内空間には、窓から離れた室内空間よりも多くの太陽光が入射する。このため、室内の温度分布は、開閉式の覆いを開ける前と比較すると、不均一になる。したがって、開閉式の覆いを開けた場合に、室内の空気の循環を開始させること、あるいは当該空気を現状よりも一層循環させることが、省エネルギーの観点から好ましい。
【０００８】
しかしながら、従来の技術では、開閉式の覆いを開けた場合に、室内の空気の循環を開始させること、あるいは当該空気を現状よりも一層循環させることができない。
【０００９】
本願発明は上記の問題点に鑑みなされたものであって、その目的は、宅内等の部屋における空気の循環を制御して当該部屋で消費される電力を低減可能なコントローラ、当該コントローラにおける制御方法、および当該コントローラを実現するためのプログラムを提供することにある。
【課題を解決するための手段】
【００１０】
本発明のある局面に従うと、コントローラは、風を発生することにより室内の空気を循環させる空気循環装置を制御する。コントローラは、プログラムを格納したメモリと、プログラムを実行するプロセッサと、空気循環装置および第１の外部機器と通信を行なう通信インターフェイスとを備える。通信インターフェイスは、室内に入射する太陽光の光量を開閉動作により調節する調節装置が閉状態から開状態になったことを示す第１の信号を前記第１の外部機器から受信する。プロセッサは、通信インターフェイスが第１の信号を受信したことに基づき、通信インターフェイスを用いて、空気循環装置の風量を増加させる制御を行なう。
【００１１】
好ましくは、通信インターフェイスは、室内の温度を検出する温度センサから、当該検出された温度を示す温度情報をさらに受信する。プロセッサは、通信インターフェイスが第１の信号を受信してから、温度が予め定められた値上昇したか否かを温度情報に基づき判断する。プロセッサは、温度が予め定められた値上昇したことに基づき、風量を増加させる制御を行なう。
【００１２】
好ましくは、コントローラは、時間を計測するタイマをさらに備える。プロセッサは、通信インターフェイスが第１の信号を受信してから、予め定められた時間が経過したか否かを計測された時間に基づき判断する。プロセッサは、予め定められた時間が経過したことに基づき、風量を増加させる制御を行なう。
【００１３】
好ましくは、通信インターフェイスは、室内と室外とを仕切る窓が開状態であることを示す第２の信号を第２の外部機器からさらに受信する。プロセッサは、風量を増加させる制御を行なった後に通信インターフェイスが第２の信号を受信したことに基づき、風量を減少させる制御を行なう。
【００１４】
本発明の他の局面に従うと、制御方法は、風を発生することにより室内の空気を循環させる空気循環装置を制御するコントローラにおける制御方法である。コントローラは、メモリに格納されたプログラムを実行するプロセッサと、空気循環装置および外部機器と通信を行なう通信インターフェイスとを備える。制御方法は、通信インターフェイスが、室内に入射する太陽光の光量を開閉動作により調節する調節装置が閉状態から開状態になったことを示す信号を外部機器から受信するステップと、プロセッサが、通信インターフェイスが当該信号を受信したことに基づき、通信インターフェイスを用いて、空気循環装置の風量を増加させる制御を行なうステップとを備える。
【００１５】
本発明のさらに他の局面に従うと、プログラムは、風を発生することにより室内の空気を循環させる空気循環装置のコントローラを制御するためのプログラムである。プログラムは、室内に入射する太陽光の光量を開閉動作により調節する調節装置が閉状態から開状態になったことを示す信号を外部機器から受信するステップと、外部機器から当該信号を受信したことに基づき、空気循環装置の風量を増加させる制御を行なうステップとをコントローラに実行させる。
【発明の効果】
【００１６】
本発明によれば、宅内等の部屋における空気の循環を制御して当該部屋で消費される電力を低減可能となる。
【図面の簡単な説明】
【００１７】
【図１】制御システムの概略構成を説明するための図である。
【図２】ホームコントローラの外観を示した図である。
【図３】ホームコントローラのハードウェア構成を説明するための図である。
【図４】ホームコントローラにおける処理のフローを示したフローチャートである。
【発明を実施するための形態】
【００１８】
以下、図面を参照しつつ、本発明の実施の形態に係る制御システムおよび当該制御システムを構成するホームコントローラについて説明する。以下の説明では、同一の部品には同一の符号を付してある。それらの名称および機能も同じである。したがって、それらについての詳細な説明は繰り返さない。
【００１９】
なお、以下では、室内に入射する太陽光の光量を開閉動作により調節する調節装置の一例として、ブラインドを例に挙げて説明する。なお、ブラインドは、窓の日覆いである。なお、調節装置は、ブラインドに限定されず、たとえばカーテンであってもよい。また、ブラインドおよびカーテンの種類は特に限定されるものではない。
【００２０】
＜システム構成＞
図１は、制御システム１の概略構成を説明するための図である。図１を参照して、制御システム１は、ホームコントローラ１０と、開閉装置２０と、窓センサ３０と、照度センサ４０と、温度センサ５０と、空気循環装置６０とを備えている。なお、照度センサ４０は、室外に備えられている。ホームコントローラ１０と、開閉装置２０と、温度センサ５０と、空気循環装置６０とは、室内に備えられている。
【００２１】
室内には、制御システム１の他に、ブラインド８０が備えられている。また、室内と室外とは窓９０により仕切られている。ブラインド８０および窓９０は、ともに開閉が可能である。
【００２２】
ホームコントローラ１０は、開閉装置２０と、温度センサ５０と、空気循環装置６０との動作を制御する。具体的な制御内容については後述する。
【００２３】
開閉装置２０は、ホームコントローラ１０からの指令に応じて、ブラインド８０の開閉を行なう。開閉装置２０は、ブラインド８０を閉状態から開状態にする処理が終了すると、ブラインド８０が開状態となったことを示す信号（以下、「信号Ｐ１」とも称する）を、ホームコントローラ１０に送信する。また、開閉装置２０は、ブラインド８０を開状態から閉状態にする処理が終了すると、ブラインド８０が閉状態となったことを示す信号を、ホームコントローラ１０に送信する。ホームコントローラ１０は、当該各信号を記憶する。
【００２４】
なお、ブラインド８０は、ブラインド８０を構成するスラットの昇降、および当該スラットの角度を調整が可能である。ここで、「ブラインド８０の開状態」とは、スラットをブラインドの壁面への取り付け部の位置まで上昇させること、ブラインドの下端を一定の位置よりも上に上昇させること、スラットを垂直の状態ではない状態にすること、スラットを垂直の状態から一定角度以上回転移動さること、スラットを水平状態とすること等をいう。
【００２５】
窓センサ３０は、窓９０の開閉状態を検出する。窓センサ３０は、窓９０が開状態である場合、窓９０が開状態であることを示す信号（以下、「信号Ｐ２」とも称する）を、ホームコントローラ１０に送信する。窓センサ３０は、窓９０が閉状態である場合、窓９０が閉状態であることを示す信号を、ホームコントローラ１０に送信する。ホームコントローラ１０は、当該各信号を記憶する。
【００２６】
照度センサ４０は、室外の照度を測定するとともに、測定結果をホームコントローラ１０に送信する。
【００２７】
温度センサ５０は、ホームコントローラ１０からの指令に基づき動作する。温度センサ５０は、温度を測定する指令をホームコントローラ１０から受け付けた場合、室内の温度の測定をするとともに、測定結果をホームコントローラ１０に送信する。
【００２８】
空気循環装置６０は、風を発生することにより室内の空気を循環させる。空気循環装置６０は、ホームコントローラ１０からの指令に基づき動作する。
【００２９】
空気循環装置６０は、たとえばホームコントローラ１０から発生させる風の風量（たとえば、「弱」、「中」、「強」）を示した指令を受け付けた場合、当該指令に応じた風量の風を発生するよう動作する。また、空気循環装置６０は、ホームコントローラ１０から動作開始指令、動作停止指令を受け付ける。この場合、空気循環装置６０は、指令に応じて、動作を開始または停止する。
【００３０】
なお、空気循環装置６０は、ユーザからの直接操作に基づき動作する構成であってもよい。空気循環装置６０は、一般にサーキュレータと呼ばれる装置に限定されず、扇風機、空気清浄機であってもよい。
【００３１】
＜ホームコントローラの構成＞
図２は、ホームコントローラ１０の外観を示した図である。図２を参照して、ホームコントローラ１０は、入力装置としての操作キー１０７１〜１０７６と、モニタ１１０とを備える。ホームコントローラ１０は、たとえば、室内の壁に設置される。なお、ホームコントローラ１０が設置される部屋は、開閉装置２０、窓センサ３０、照度センサ４０、温度センサ５０、空気循環装置６０、ブラインド８０、および窓９０とは異なる部屋であってもよい。
【００３２】
図３は、ホームコントローラ１０のハードウェア構成を説明するための図である。図３を参照して、ホームコントローラ１０は、プログラムを実行するＣＰＵ（Central Processing Unit）１０１と、主記憶装置１０２と、データを不揮発的に格納するＲＯＭ（Read Only Memory）１０３と、フラッシュメモリ１０４と、ＶＲＡＭ（Video Random Access Memory）１０５と、タイマ１０６と、ホームコントローラ１０のユーザによる指示の入力を受ける入力装置１０７と、通信インターフェイス１０８と、ＩＣ（Integrated Circuit）カードリーダライタ１０９と、モニタ１１０とを備える。また、ホームコントローラ１０は、一般的なコンピュータと同様に、カレンダー機能および時計機能とを備えている。これにより、ホームコントローラ１０は、現在日時を判断できる。
【００３３】
フラッシュメモリ１０４は、不揮発性の半導体メモリである。ＶＲＡＭ１０５は、モニタ１１０に表示される内容を保持するメモリである。モニタ１１０は、ＶＲＡＭ１０５が保持する内容を表示する。
【００３４】
タイマ１０６は、時間を計測する。通信インターフェイス１０８は、開閉装置２０と、窓センサ３０と、照度センサ４０と、温度センサ５０と、空気循環装置６０との通信を行なう。
【００３５】
各構成要素１０１〜１０９は、相互にデータバスによって接続されている。ＩＣカードリーダライタ１０９には、メモリカード１９１が装着される。
【００３６】
ホームコントローラ１０における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、通信インターフェイス１０８を介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００３７】
同図に示されるホームコントローラ１０を構成する各構成要素は、一般的なものである。したがって、本発明の本質的な部分は、フラッシュメモリ１０４、メモリカード１９１その他の記憶媒体に格納されたソフトウェア、あるいはネットワークを介してダウンロード可能なソフトウェアであるともいえる。なお、ホームコントローラ１０の各ハードウェアの動作は周知であるので、詳細な説明は繰り返さない。
【００３８】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００３９】
ここでいうプログラムとは、ＣＰＵにより直接実行可能なプログラムだけでなく、ソースプログラム形式のプログラム、圧縮処理されたプログラム、暗号化されたプログラム等を含む。
【００４０】
次に、フラッシュメモリ１０４に格納するプログラムおよびデータについて、より具体的に説明する。
【００４１】
フラッシュメモリ１０４は、空気循環装置６０を制御するための制御プログラムを格納している。また、フラッシュメモリ１０４は、ホームコントローラ１０が生成したデータ、ホームコントローラ１０の外部装置から取得したデータ等の各種データを揮発的に格納する。フラッシュメモリ１０４は、外部装置として、たとえば、開閉装置２０、窓センサ３０、照度センサ、および温度センサ５０等から取得したデータを揮発的に格納する。
【００４２】
フラッシュメモリ１０４は、ブラインド８０が開状態か閉状態かを示したブラインド状態情報を格納する。具体的には、フラッシュメモリ１０４は、ブラインド状態情報として、ブラインド８０の開閉状態に応じ、ブラインド８０が開状態であることを示す情報、または閉状態であることを示す情報のいずれかを択一的に格納する。
【００４３】
また、フラッシュメモリ１０４は、窓９０が開状態か閉状態かを示した窓状態情報が格納する。具体的には、フラッシュメモリ１０４は、窓状態情報として、窓９０の開閉状態に応じ、窓９０が開状態であることを示す情報、または閉状態であることを示す情報のいずれかを択一的に格納する。
【００４４】
さらに、フラッシュメモリ１０４は、予め定められた日時を示す日時情報を格納している。日時情報は、予め定められた期間を示す情報、および予め定められた時間帯を示す情報を含む。なお、予め定められた期間とは、たとえば、冬の期間である。また、予め定められた時間帯とは、日照時間帯である。好ましくは、予め定められた時間帯とは、日射量が多い昼間の時間帯（たとえば、１２時〜３時）である。
【００４５】
また、フラッシュメモリ１０４は、空気循環装置６０が後述する風量を増加させる制御を行なっているか否かを示すフラグ（以下、「風量増加フラグ」と称する）を格納している。ＣＰＵ１０１は、風量を増加させる制御を行なっている場合には風量増加フラグをＯＮとし、風量を増加させる制御を行なっていない場合には風量増加フラグをＯＦＦとする。
【００４６】
＜ホームコントローラの処理の詳細＞
次に、ホームコントローラ１０のＣＰＵ１０１および通信インターフェイス１０８における処理について説明する。
【００４７】
（１）ＣＰＵ１０１は、フラッシュメモリ１０４に格納された制御プログラムを実行する。通信インターフェイス１０８は、ＣＰＵ１０１からの指令に応じて、空気循環装置６０および開閉装置２０と通信を行なう。通信インターフェイス１０８は、ブラインド８０が閉状態から開状態になった場合、上記信号Ｐ１を開閉装置２０から受信する。ＣＰＵ１０１は、通信インターフェイス１０８が信号Ｐ１を受信したことに基づき、通信インターフェイス１０８を用いて、空気循環装置６０の風量を増加させる制御を行なう。
【００４８】
ＣＰＵ１０１は、たとえば風量が「弱」の状態で空気循環装置６０が稼動している場合には、当該風量を「中」および「強」のいずれかに変更する指令を空気循環装置６０に送信する。風量を「中」にするか「強」にするかは、フラッシュメモリ１０４に格納された制御プログラムの記述に基づく。
【００４９】
ＣＰＵ１０１は、たとえば、空気循環装置６０が稼動していない場合には、空気循環装置６０を稼動する指令を空気循環装置６０に送信する。なお、いずれの風量に設定するかは、制御プログラムの記述に基づく。
【００５０】
以上の処理により、ホームコントローラ１０は、ブラインド８０が開いた場合に、室内の空気の循環を開始させること、あるいは当該空気を現状よりも一層循環させることができる。したがって、ホームコントローラ１０は、宅内等の部屋における空気の循環を制御して当該部屋で消費されるエアーコンディショナ等の温度調節装置の電力を低減することができる。
【００５１】
（２）より詳しくは、以下の通りである。通信インターフェイス１０８は、温度センサ５０から、温度センサ５０によって検出された温度を示す温度情報をさらに受信する。なお、ＣＰＵ１０１は、受信した温度情報をフラッシュメモリ１０４に格納する。
【００５２】
ＣＰＵ１０１は、通信インターフェイス１０８が上記信号Ｐ１を受信してから、温度が予め定められた値上昇したか否かを温度情報に基づき判断する。なお、当該値は、制御プログラムの一部として予めフラッシュメモリ１０４に格納されている。当該値は、一例として、３度である。ＣＰＵ１０１は、温度が当該予め定められた値上昇したことに基づき、上述した風量を増加させる制御を行なう。
【００５３】
このように、ホームコントローラ１０は、ブラインド８０が開くと直ぐに空気循環装置６０の風量を増加する制御を行なわず、室温が一定温度以上上昇してから風量を増加させる制御を行なう。したがって、ホームコントローラ１０は、ブラインド８０が開くと直ぐに空気循環装置６０の風量を増加する場合よりも、部屋で消費される電力を低減することができる。
【００５４】
（３）さらに、ＣＰＵ１０１は、風量を増加させる制御を行なった後に通信インターフェイス１０８が上記信号Ｐ２を受信したことに基づき、風量を減少させる制御を行なう。ＣＰＵ１０１は、たとえば風量を「弱」から「中」する制御を行なった後に、通信インターフェイス１０８が上記信号Ｐ２を受信したことに基づき、たとえば風量を「中」から「弱」にする制御を行なう。
【００５５】
窓９０が開いた場合、室内の空気と室外の空気との入れ換えが自然と起こる。それゆえ、ブラインド８０が開いた後に窓９０が開いた場合には、窓９０が開いていない場合よりも、部屋の空気の循環は活発となる。したがって、窓９０が開いた場合には、自然の風による循環を考慮して、空気循環装置６０の風量を減少させることにより、さらなる消費電力の低減を図ることができる。
【００５６】
（４）ＣＰＵ１０１は、通信インターフェイス１０８が上記信号Ｐ１を受信したことに基づき、温度センサ５０を動作させる制御を行なう。たとえば、ＣＰＵ１０１は、温度センサ５０をスリープ状態または電力が供給されていない状態からアクティブな状態にするための指令を温度センサ５０に送る。当該指令により、温度センサ５０は、室内の温度の検出を開始する。
【００５７】
したがって、温度センサ５０を常時稼動させておく必要がなくなる。したがって、ホームコントローラ１０は、温度センサ５０を常時稼動させる場合よりも、消費される電力を低減することができる。
【００５８】
（５）通信インターフェイス１０８は、照度センサ４０から、当該検出された照度を示す照度情報を受信する。ＣＰＵ１０１は、ブラインド８０が閉まっている状態において照度が予め定められた値よりも高くなったことに基づき、通信インターフェイス１０８を用いてブラインド８０を開ける制御を行なう。具体的には、ＣＰＵ１０１は、ブラインド８０を開状態にするよう、通信インターフェイス１０８を介して、開閉装置２０に指令を送る。
【００５９】
より詳しくは、ＣＰＵ１０１は、ブラインド８０が閉まっている状態において照度が予め定められた値よりも高くなったこと、および現在日時が上述した予め定められた期間内および時間帯であることに基づき、ブラインド８０を開ける制御を行なう。
【００６０】
それゆえ、ホームコントローラ１０は、たとえば冬の日射量が多いときにブラインド８０を自動的に開ける制御を行なうため、ブラインド８０を開けていない場合よりも部屋が暖まる。したがって、ホームコントローラ１０は、暖房に要する電力を低減することができる。
【００６１】
ＣＰＵ１０１および通信インターフェイス１０８によるさらに詳細な処理については、図４に基づいて説明する。
【００６２】
＜制御構造＞
図４は、ホームコントローラ１０における処理のフローを示したフローチャートである。図４を参照して、ステップＳ２において、ＣＰＵ１０１は、フラッシュメモリ１０４から日時情報を読み出す。ステップＳ４において、ＣＰＵ１０１は、照度センサ４０から現在の照度を示した照度情報を取得する。ステップＳ６において、ＣＰＵ１０１は、現在時刻と、上記読み出した日時情報と、取得した照度情報とに基づき、ブラインド８０を開けるか否かを判断する。具体的には、ＣＰＵ１０１は、ブラインド８０が閉まっている状態において照度が予め定められた値よりも高くなったこと、および現在日時が上述した予め定められた期間内および時間帯である場合、ブラインド８０を開けると判断する。
【００６３】
ＣＰＵ１０１は、ブラインド８０を開けると判断した場合（ステップＳ６においてＹＥＳ）、ステップＳ８において、フラッシュメモリ１０４からブラインド状態情報を読み出す。ＣＰＵ１０１は、ステップＳ１０において、ブラインド状態情報に基づき、ブラインド８０が開状態であるか否かを判断する。
【００６４】
ＣＰＵ１０１は、ブラインド８０が開状態にないと判断した場合（ステップＳ１２においてＮＯ）、ステップＳ１２において、開閉装置２０に対してブラインド８０を開状態にするよう指令を送る。一方、ＣＰＵ１０１は、ブラインド８０が開状態であると判断した場合（ステップＳ１２においてＹＥＳ）、処理をステップＳ２４に進める。
【００６５】
ＣＰＵ１０１は、ステップＳ１４において、温度センサ５０を動作させる指令を温度センサ５０に送信する。ＣＰＵ１０１は、ステップＳ１６において、温度センサ５０から温度情報を連続的に取得する。ＣＰＵ１０１は、ステップＳ１８において、ブラインド８０を開状態としてから室内の温度が予め定められた値以上上昇したか否かを判断する。正確には、ＣＰＵ１０１は、ブラインド８０を開状態とする指令を開閉装置２０に出してから、室内の温度が予め定められた値以上上昇したか否かを判断する。より正確には、ＣＰＵ１０１は、温度センサ５０が室内の温度の測定を開始してから、室内の温度が予め定められた値以上上昇したか否かを判断する。
【００６６】
ＣＰＵ１０１は、室内の温度が予め定められた値以上上昇したと判断した場合（ステップＳ１８においてＹＥＳ）、ステップＳ２０において、空気循環装置６０の風量を増加させる指令を空気循環装置６０に送信する。一方、ＣＰＵ１０１は、室内の温度が予め定められた値以上上昇していないと判断した場合（ステップＳ１８においてＮＯ）、処理をステップＳ１６に進める。ＣＰＵ１０１は、ステップＳ２２において風量増加フラグをＯＮとし、処理をステップＳ２４に進める。
【００６７】
ＣＰＵ１０１は、ステップＳ２４において、フラッシュメモリ１０４から窓状態情報を読み出す。ＣＰＵ１０１は、ステップＳ２６において、窓状態情報に基づき、窓９０が開いているか否かを判断する。ＣＰＵ１０１は、窓９０が開いていないと判断した場合（ステップＳ２６においてＮＯ）、処理をステップＳ３４に進める。ＣＰＵ１０１は、窓９０が開いていると判断した場合（ステップＳ２６においてＹＥＳ）、ステップＳ２８において、風量増加フラグがＯＮであるか否かを判断する。
【００６８】
ＣＰＵ１０１は、風量増加フラグがＯＮでない（つまり、ＯＦＦ）であると判断した場合（ステップＳ２８においてＮＯ）、処理をステップＳ３４に進める。ＣＰＵ１０１は、風量増加フラグがＯＮであると判断した場合、ステップＳ３０において、空気循環装置６０の風量を減少させる指令を空気循環装置６０に送る。ＣＰＵ１０１は、ステップＳ３２において、風量増加フラグをＯＦＦとし、処理をステップＳ３４に進める。
【００６９】
ところで、ステップＳ６においてＣＰＵ１０１がブラインド８０を開けないと判断した場合（ステップＳ６においてＮＯ）、ＣＰＵ１０１は、ステップＳ３６において、フラッシュメモリ１０４からブラインド状態情報を読み出す。ＣＰＵ１０１は、ステップＳ３８において、ブラインド状態情報に基づき、ブラインド８０が開状態であるか否かを判断する。ＣＰＵ１０１は、ブラインド８０が開状態であると判断した場合（ステップＳ３８においてＹＥＳ）、ステップＳ４０において、開閉装置２０に対してブラインド８０を閉状態にするよう指令を送る。一方、ＣＰＵ１０１は、ブラインド８０が開状態でないと判断した場合（ステップＳ３８においてＹＥＳ）、処理をステップＳ３４に進める。
【００７０】
ステップＳ３４において、ＣＰＵ１０１は、空気循環装置６０の風量の制御を終了するための入力を、入力装置１０７を介してユーザから受け付けたか否かを判断する。ＣＰＵ１０１は、入力を受け付けていないと判断した場合（ステップＳ３４においてＮＯ）、処理をステップＳ２に進める。一方、ＣＰＵ１０１は、入力を受け付けたと判断した場合（ステップＳ３４においてＹＥＳ）、一連の処理を終了する。
【００７１】
＜変形例＞
（１）上記においては、通信インターフェイス１０８が上記信号Ｐ１を受信してから、温度が予め定められた値上昇したことに基づき、空気循環装置６０の風量を増加させる制御を行なう構成について説明した。以下では、温度の代わりに時間を利用する構成について説明する。
【００７２】
ＣＰＵ１０１は、通信インターフェイス１０８が上記信号Ｐ１を受信したことに基づき、タイマ１０６に時間の計測を開始させる制御を行なう。ＣＰＵ１０１は、通信インターフェイス１０８が上記信号Ｐ１を受信してから、予め定められた時間が経過したか否かを上記計測された時間に基づき判断する。ＣＰＵ１０１は、予め定められた時間が経過したことに基づき、空気循環装置６０の風量を増加させる制御を行なう。つまり、予め定められた時間が経過したことにより、ＣＰＵ１０１は、室内の温度がある程度上昇したものと見なして、風量を増加させる制御を行なう。なお、当該予め定められた時間とは、たとえば５分である。当該時間を示す情報は制御プログラムの一部として予めフラッシュメモリ１０４に格納されている。
【００７３】
温度の代わりに時間を利用する場合には、図４に示したフローチャートのステップＳ１４,１６,１８に示した処理を以下のように変更する必要がある。ステップＳ１４において、ＣＰＵ１０１は、タイマ１０６に時間の計測を開始させる。ステップＳ１６において、ＣＰＵ１０１は、経過時間を示した時間情報をタイマ１０６から取得する。ステップＳ１８において、ＣＰＵ１０１は、当該時間情報に基づいて、予め定められた時間経過したか否かを判断する。
【００７４】
このような構成をホームコントローラ１０が採ることにより、温度に基づいた制御を行なう場合と同様、ブラインド８０が開くと直ぐに空気循環装置６０の風量を増加する場合よりも、部屋で消費される電力を低減することができる。
【００７５】
（２）上記においては、ブラインド８０が開いてから、温度センサ５０が稼動する構成を例に挙げて説明したが、ブラインド８０が閉まっている場合であっても温度センサ５０を稼動させておいてもよい。つまり、ホームコントローラ１０が温度センサ５０から常時温度情報を取得するように、ホームコントローラ１０を構成してもよい。
【００７６】
（３）上記においては、ブラインド８０が開閉装置２０により開状態となったときに、空気循環装置６０の風量を増加させる構成を例に挙げて説明したが、以下のように制御システム１を構成してもよい。
【００７７】
ホームコントローラ１０は、ブラインド８０が手動により開状態となったときにも、空気循環装置６０の風量を増加させる。
【００７８】
開閉装置２０は、ブラインド８０が手動により開状態になった場合、ブラインド８０が開状態になったことを検出し、かつ当該検出結果をホームコントローラ１０に通知する。また、開閉装置２０は、ブラインド８０が手動により閉状態になった場合にも、ブラインド８０が閉状態になったことを検出し、かつ当該検出結果をホームコントローラ１０に通知する。ホームコントローラ１０は、ブラインド８０が手動により開状態となったとき、空気循環装置６０の風量を増加させる制御を行なう。
【００７９】
また、ブラインド８０が手動または自動により閉状態となったとき、増加させていた風量を減少させる制御を行なうようにホームコントローラ１０を構成しておくことが、更なる電力消費の低減のために好ましい。
【００８０】
（４）上記において、空気循環装置６０を用いて、空気循環装置６０が備えられた室内における空気を循環させる構成を例に挙げて説明したが、空気循環装置６０により、廊下や他の部屋の空気を循環させてもよい。また、空気循環装置６０としてダクト装置を用いて、ブラインド８０が備えられた部屋および他の部屋等の空気を循環させるように、制御システム１を構成してもよい。
【００８１】
（５）ヒートポンプを備え、かつホームコントローラ１０が当該ヒートポンプの動作を制御するように、制御システム１を構成としてもよい。この場合、ホームコントローラ１０は、ブラインド８０が開状態となった場合、ヒートポンプの出力を下げる制御を行なう。また、ホームコントローラ１０は、窓９０が状態となった場合、ヒートポンプの出力を下げる制御を行なう。
【００８２】
ホームコントローラ１０が、このような制御をヒートポンプに対して実行することにより、消費電力の低減を図ることができる。
【００８３】
（６）上記においては、説明の便宜上、空気循環装置６０の風量を「弱」、「中」、「強」として説明した。しかしながら、空気循環装置６０の風量は、このような３つの区分に限定されない。空気循環装置６０は、４つ以上の異なる風量に調整可能な構成であってもよい。
【００８４】
また、ホームコントローラ１０の制御により、空気循環装置６０が増加させる風量の値と、当該風量を増加させた後に減少させる風量の値とは、一致していなくてもよい。たとえば、ブラインド８０が開状態となったことに基づき、風量をたとえば２段階上げる制御を行ない、その後窓９０が開状態となったことに基づき、風量を１段階下げるといった制御を行なうように、ホームコントローラ１０を構成してもよい。
【００８５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８６】
１  制御システム、１０  ホームコントローラ、２０  開閉装置、３０  窓センサ、４０  照度センサ、５０  温度センサ、６０  空気循環装置、８０  ブラインド、９０  窓、１０４  フラッシュメモリ、１０６  タイマ、１０７  入力装置、１０８  通信インターフェイス。
【図１】
0005517159.tif 000002
【図２】
0005517159.tif 000003
【図３】
0005517159.tif 000004
【図４】
0005517159.tif 000005